(57)【要約】【課題】ループアンテナを誘電体材料板より成る顕微鏡ステージ或いはアンテナステージに埋設し、更に耳受けステージ４１を顕微鏡ステージ或いはアンテナステージに重ね合わせる構成を採用することにより、電磁波の生体曝露実験に際してループアンテナの給電点に発生する電磁界集中が緩和され、安定な電磁波曝露実験を実施することができる電磁波曝露装置を提供する。【解決手段】ループアンテナ１４を、誘電体材料板より成る顕微鏡ステージ３１の内部に、ループアンテナ１４の面を顕微鏡ステージ３１の表面に平行にした状態で埋設した電磁波曝露装置。【選択図】  図１
2004184854.tif 000002
【特許請求の範囲】
【請求項１】
生体の電磁波照射領域を顕微鏡を使用して観察する電磁波曝露装置において、
ループアンテナを、誘電体材料板より成る顕微鏡ステージの内部に、ループアンテナの面を顕微鏡ステージの表面に平行にした状態で埋設したことを特徴とする電磁波曝露装置。
【請求項２】
生体の電磁波照射領域を顕微鏡を使用して観察する電磁波曝露装置において、
ループアンテナを、誘電体材料板より成る顕微鏡ステージの表面に、ループアンテナの面を露出した状態で平行に埋設し、
誘電体材料板より成る耳受けステージを顕微鏡ステージの表面に重ね合わせて設置したことを特徴とする電磁波曝露装置。
【請求項３】
生体の電磁波照射領域を顕微鏡を使用して観察する電磁波曝露装置において、
ループアンテナを、誘電体材料板より成るアンテナステージの表面に、ループアンテナの面を露出した状態で平行に埋設し、
アンテナステージを誘電体材料板より成る顕微鏡ステージの表面に重ね合わせて設置し、
誘電体材料板より成る耳受けステージをアンテナステージの表面に重ね合わせて設置したことを特徴とする電磁波曝露装置。
【発明の詳細な説明】
【０００１】
【産業上の利用分野】
この発明は、電磁波曝露装置に関し、特に、ループアンテナを誘電体材料板より成る顕微鏡ステージ或いはアンテナステージに埋設し、更に、耳受けステージ４１を顕微鏡ステージ或いはアンテナステージに重ね合わせる構成を採用して電磁波の生体曝露実験に際して給電点に発生する電磁界集中が緩和され、安定して生体曝露実験を実施することができる電磁波曝露装置に関する。
【０００２】
【従来の技術】
図７ないし図１０を参照して電磁波の生体曝露実験に使用される電磁波曝露装置の内の特にアンテナについて説明する。
図７を参照するに、これは給電点１０からモノポールアンテナ１１を励振して発生放射される電磁波をウサギの如き生体２に対して照射するところを示す図である。図８は給電点１０からダイポールアンテナ１２を励振して発生放射される電磁波をウサギの如き生体２に対して照射するところを示す図である。１２１は給電線を示す。図９は給電点１０から微小ループアンテナ１３を励振して発生放射される電磁波をウサギの如き生体２に対して照射するところを示す図である。１３１は給電線を示す。図１０は給電点１０からループアンテナ１４を励振して発生放射される電磁波をウサギの耳２１の如く厚さの薄い生体２に対して照射するところを示す図である。１４１は給電線を示す。
【０００３】
ここで、ウサギの如き生体２の頭部或いは全身に対して電磁波を照射する場合は、図７ないし図９に示される生体電磁波曝露用のモノポールアンテナ１１、ダイポールアンテナ１２或いは微小ループアンテナ１３を使用して適正な電磁波生体曝露実験を実施することができる。ところが、図１０に示される如く、生体２がウサギの耳２１の如き平坦な組織であり、これに局所的に電磁波を照射するという場合、図７ないし図９に示されるモノポールアンテナ１１、ダイポールアンテナ１２或いは微小ループアンテナ１３は適正なものであるとは言い難い。以下、これについて説明する。
【０００４】
生体２がウサギの耳２１の如き平坦な組織であり、これに局所的に電磁波を照射する電磁波生体曝露実験においては、生体２の真上に設置した顕微鏡を使用して生体２の電磁波照射領域を電磁波照射中に直接に観察している。この場合、図７のモノポールアンテナ１１は、地板１１１を必要とするところから、顕微鏡との間の干渉が大きく、電磁波の放射が不安定になる。そして、図８のダイポールアンテナ１２は、顕微鏡の光軸を遮らずに生体２に対して電磁波を放射する配置をとるに困難を来す。また、図９の微小ループアンテナ１３も、ダイポールアンテナ１２と同様に、顕微鏡の光軸を遮らずに設置するのは困難である。結局、図１０に示される平面薄型のループアンテナ１４を採用すれば、生体２の真上に設置した顕微鏡の光軸を遮らずに生体２に対して電磁波を放射する配置をとることができる。
【０００５】
図１１を参照するに、これはループアンテナ１４を使用したウサギの耳用電磁波曝露装置を説明する図であり、図１１（ａ）はその斜視図、図１１（ｂ）はその断面図、図１１（ｃ）は曝露量および入力特性を示す図である。３はウサギの耳２１を観察する顕微鏡を示す。３１は誘電体材料板より成る顕微鏡ステージであり、この表面にウサギの耳２１、ループアンテナ１４をこの順に載置して顕微鏡３に対向位置決めしている（非特許文献１  参照）。
図１１のウサギの耳用電磁波曝露装置を使用してウサギの耳２１に対する電磁波曝露試験を実施するに際して、ループアンテナ１４が曝露対象であるウサギの耳２１に対して接近し過ぎて両者の間の距離が微小であると、図１１（ｃ）の（イ）に点線で示される如く、ウサギの耳２１の内のループアンテナ１４の給電点１０に対応する領域の曝露量が極端に大きくなり、次いで、ループアンテナ１４の中央部の曝露量が大きくなる。そして、ループアンテナ１４と曝露対象であるウサギの耳２１との間の距離が一定ではなく実験毎に変動すると、この変動に対応して曝露量が変動するという問題も生起する。また、図１１（ｃ）の（ロ）に示される如く、入力特性において共振周波数が変動するという問題もある。以上のことから、電磁波曝露装置全体としての動作は不安定であり、精度の高い電磁波曝露実験をするに困難を来す。更に、ループアンテナ１４と曝露対象である生体２との間の距離を一定に設定する上において、ループアンテナ１４の支持部材の機械的強度が大であること、および出来上がりの機械的寸法精度が高いことも要請され、簡易な構成の支持部材の構成の実現も困難である。また、電磁波生体曝露実験においては、生体２の斜方上側に赤外線カメラ３０を設置して生体２の表面温度変化を電磁波照射中に測定することも行われる。この場合、曝露対象であるウサギの耳２１の上側に存在するループアンテナ１４は表面温度変化の測定の障害となる場合がある。
【０００６】
図１２を参照するに、これもループアンテナ１４を使用したウサギの耳用電磁波曝露装置を説明する図であり、図１２（ａ）はその斜視図、図１２（ｂ）はその断面図、図１２（ｃ）はその曝露量および入力特性を示す図である。図１２の場合、ループアンテナ１４、ウサギの耳２１を顕微鏡ステージ３１の表面にこの順に載置して顕微鏡３に対向位置決めしている。これにより、曝露対象のウサギの耳２１の表面温度分布を赤外線カメラ３０により斜方上側から観測する場合の障害は排除されたことになるが、この図１２の従来例も、ウサギの耳２１のループアンテナ１４の給電点１０に対応する領域の曝露量が極端に大きくなり、ループアンテナ１４と曝露対象との間の距離が一定に設定されずに曝露量が変動し、共振周波数が変動するという図１１の従来例の抱える問題を解消するものではない。
【０００７】
【非特許文献１】
大久保  千代治次、浅野  牧茂  「高周波パルス電磁界のウサギ耳介皮膚微小循環に及ぼす影響（１）」、日本臨床生理学会雑誌、Ｖｏｌ，１８    Ｎｏ，４  （１９８８）
【０００８】
【発明が解決しようとする課題】
この発明は、ループアンテナを誘電体材料板より成る顕微鏡ステージ或いはアンテナステージに埋設し、更に、耳受けステージ４１を顕微鏡ステージ或いはアンテナステージに重ね合わせる構成を採用することにより、電磁波の生体曝露実験に際してループアンテナの給電点に発生する電磁界集中が緩和され、安定な電磁波曝露実験を実施することができる上述の問題を解消した電磁波曝露装置を提供するものである。
【０００９】
【課題を解決するための手段】
生体の電磁波照射領域を顕微鏡を使用して観察する電磁波曝露装置において、ループアンテナ１４を、誘電体材料板より成る顕微鏡ステージ３１の内部に、ループアンテナ１４の面を顕微鏡ステージ３１の表面に平行にした状態で埋設した電磁波曝露装置を構成した。
そして、生体の電磁波照射領域を顕微鏡を使用して観察する電磁波曝露装置において、ループアンテナ１４を、誘電体材料板より成る顕微鏡ステージ３１の表面に、ループアンテナ１４の面を露出した状態で平行に埋設し、誘電体材料板より成る耳受けステージ４１を顕微鏡ステージ３１の表面に重ね合わせて設置した電磁波曝露装置を構成した。
【００１０】
また、生体の電磁波照射領域を顕微鏡を使用して観察する電磁波曝露装置において、ループアンテナ１４を、誘電体材料板より成るアンテナステージ５１の表面に、ループアンテナ１４の面を露出した状態で平行に埋設し、アンテナステージ５１を誘電体材料板より成る顕微鏡ステージ３１の表面に重合わせて設置し、誘電体材料板より成る耳受けステージ４１をアンテナステージ５１の表面に重ね合わせて設置した電磁波曝露装置を構成した。
【００１１】
【発明の実施の形態】
この発明の実施の形態を図の実施例を参照して説明する。実施例において、従来例の構成部材と共通する部材には共通する参照符合を付与している。
図１の実施例１を参照して説明する、生体電磁波曝露用の薄型のループアンテナ１４は、誘電体材料板より成る顕微鏡ステージ３１の内部に、ループアンテナ１４の面を顕微鏡ステージ３１の表面に平行にした状態で埋設されている。
顕微鏡ステージ３１を構成する誘電体材料の誘電率、顕微鏡ステージ３１におけるループアンテナ１４の埋め込み深さ、ループアンテナ１４のループ直径を、電磁波曝露対象２の電磁気的特性を勘案して設計することにより、電磁波曝露実験に際して顕微鏡ステージ３１に設置した電磁波曝露対象２に対して最適な曝露量が与えられ、最適な入力特性が得られる。
【００１２】
実施例１において、ループアンテナ１４を、顕微鏡ステージ３１の内部にループアンテナ１４の面を顕微鏡ステージ３１の表面に平行にした状態で埋設した。これにより、顕微鏡ステージ３１の表面とループアンテナ１４の面との間の距離は、常に、埋め込み深さに等しい一定値に設定される。従って、顕微鏡ステージ３１の表面に電磁波曝露対象であるウサギの耳２１を固定した場合、ウサギの耳２１とループアンテナ１４の面との間に必ずこの一定距離が確保されるので、これを適正に設定することによりループアンテナの給電点に発生する電磁界集中は緩和されると共に、ウサギの耳２１とループアンテナ１４の面との間の距離が常に一定値に設定されることにより実験毎のこの距離の変動に起因する曝露量の変動も解消されて安定して電磁波曝露実験を実施することができる。そして、顕微鏡ステージ３１に対するループアンテナ１４の埋設は高い機械的寸法精度で実施することができ、ループアンテナ１４は顕微鏡ステージ３１に埋設されたことによりその機械的強度は大なる状態で保持される。
【００１３】
図２を参照しての実施例２を説明する。生体電磁波曝露用の薄型のループアンテナ１４は、誘電体材料より成る顕微鏡ステージ３１の表面に対してループアンテナ１４の面を顕微鏡ステージ３１の表面に平行にした状態で埋設されている。そして、この実施例の場合、誘電体材料より成る顕微鏡ステージ３１の他に、更に、誘電体材料板より成る耳受けステージ４１を顕微鏡ステージ３１の表面に重ね合わせて設置する構成を具備する。
ここで、顕微鏡ステージ３１と耳受けステージ４１を構成する誘電体材料の誘電率、耳受けステージ４１の厚さ、ループアンテナ１４のループ直径を、電磁波曝露対象２の電磁気的特性を勘案して設計することにより、電磁波曝露実験に際して耳受けステージ４１に設置した電磁波曝露対象２に対して最適な曝露量が与えられ、最適な入力特性が得られる。
【００１４】
電磁波曝露実験に際して、ウサギの耳２１はこの耳受けステージ４１の表面に固定される。ウサギの耳２１が固定された耳受けステージ４１は、ループアンテナ１４を埋設した顕微鏡ステージ３１の表面に重ね合わせて使用される。曝露実験が開始されると、矢印により示される如く、耳受けステージ４１を顕微鏡ステージ３１の表面に沿って水平に移動させ、耳受けステージ４１に固定されるウサギの耳２１の耳組織の内の観察しようとする領域を顕微鏡３に対して対応位置決めする。電磁波の曝露周波数を変更したい場合は、顕微鏡ステージ３１を必要な曝露周波数の電磁波を発生するループアンテナ１４を埋設した顕微鏡ステージ３１に交換することにより対応する。
【００１５】
実施例２において、ループアンテナ１４を顕微鏡ステージ３１の表面に対してループアンテナ１４の面を顕微鏡ステージ３１の表面に平行にして埋設して、顕微鏡ステージ３１の表面に耳受けステージ４１を設置することにより、耳受けステージ４１の表面とループアンテナ１４の面との間の距離は、常に、耳受けステージ４１の厚さに等しい一定距離に設定される。従って、耳受けステージ４１の表面に電磁波曝露対象であるウサギの耳２１を固定した場合、ウサギの耳２１とループアンテナ１４の面との間には、必ず、この耳受けステージ４１の厚さに等しい一定距離が確保されるので、この厚さを適正に設定することによりループアンテナの給電点に発生する電磁界集中は緩和されると共に、ウサギの耳２１とループアンテナ１４の面との間の距離が常に一定値に設定されることにより実験毎のこの距離の変動に起因して発生する曝露量の変動も解消される。そして、顕微鏡ステージ３１の表面に対するループアンテナ１４の埋設は高い機械的寸法精度で実施することができ、ループアンテナ１４は顕微鏡ステージ３１に埋設されたことによりその機械的強度は大なる状態に保持される。また、耳受けステージ４１を顕微鏡ステージ３１の表面に設置する構成を具備することにより、これを顕微鏡ステージ３１の表面に沿って水平に移動させて、耳受けステージ４１に固定されるウサギの耳２１の耳組織の内の観察しようとする領域を顕微鏡３に対して正確に対応位置決めすることができる。更に、電磁波の曝露周波数を変更したい場合は、顕微鏡ステージ３１を必要な曝露周波数の電磁波を発生するループアンテナ１４を埋設した顕微鏡ステージ３１に交換することにより容易にこれに対応することができる。
【００１６】
図３を参照して実施例３を説明する。実施例３においては、生体電磁波曝露用の薄型のループアンテナ１４は、実施例２とは異なり、誘電体材料より成るアンテナステージ５１を新たに採用してこれに埋設する。即ち、ループアンテナ１４は、その面をアンテナステージ５１の表面に露出した状態でアンテナステージ５１の表面に平行に埋設する。
ここで、顕微鏡ステージ３１、耳受けステージ４１、アンテナステージ５１を構成する誘電体材料の誘電率および厚さ、ループアンテナ１４のループ直径を、電磁波曝露対象２の電磁気的特性を勘案して設計することにより、電磁波曝露実験に際して耳受けステージ４１に設置した電磁波曝露対象２に対して最適な曝露量が与えられ、最適な入力特性が得られる。
【００１７】
電磁波曝露実験に際して、ウサギの耳２１は耳受けステージ４１の表面に固定される。ウサギの耳２１が固定された耳受けステージ４１は、ループアンテナ１４を埋設したアンテナステージ５１の表面に重ね合わせて使用される。曝露実験が開始されると、矢印により示される如く、耳受けステージ４１をアンテナステージ５１の表面に沿って水平に移動させ、耳受けステージ４１に固定されるウサギの耳２１の耳組織の内の観察しようとする領域を顕微鏡３に対して対応位置決めする。電磁波の曝露周波数を変更したい場合は、アンテナステージ５１を必要な曝露周波数の電磁波を発生するループアンテナ１４を埋設したアンテナステージ５１に交換することにより対応する。
【００１８】
実施例３において、ループアンテナ１４は、その面をアンテナステージ５１の表面に露出した状態でアンテナステージ５１の表面に埋設し、アンテナステージ５１の表面に耳受けステージ４１を重ね合わせることにより、耳受けステージ４１の表面とループアンテナ１４の面との間の距離は、常に、耳受けステージ４１の厚さに等しい一定値に設定される。従って、耳受けステージ４１の表面に電磁波曝露対象であるウサギの耳２１を固定した場合、ウサギの耳２１とループアンテナ１４の面との間には、必ず、耳受けステージ４１の厚さに等しい一定距離が確保されるので、これを適正に設定することによりループアンテナの給電点に発生する電磁界集中は緩和されると共に、ウサギの耳２１とループアンテナ１４の面との間の距離が常に一定値に設定されることにより実験毎のこの距離の変動に起因する曝露量の変動も解消される。そして、アンテナステージ５１に対するループアンテナ１４の埋設は高い機械的寸法精度で実施することができ、ループアンテナ１４はアンテナステージ５１に埋設されたことによりその機械的強度は大なる状態で保持される。また、耳受けステージ４１をアンテナステージ５１の表面に設置する構成を具備することにより、これをアンテナステージ５１の表面に沿って水平に移動させて、耳受けステージ４１に固定されるウサギの耳２１の耳組織の内の観察しようとする領域を顕微鏡３に対して正確に対応位置決めすることができる。更に、電磁波の曝露周波数を変更したい場合、アンテナステージ５１を必要な曝露周波数の電磁波を発生するループアンテナ１４を埋設したアンテナステージ５１に交換することにより容易にこれに対応することができる。
【００１９】
図４ないし図６を参照して実験の態様を説明する。
図４は実験装置全体を示す図である。電磁波曝露実験は、この実験装置の電波暗箱６０の内部にこの発明による電磁波曝露装置を収容して実施する。この電磁波曝露装置として図５の電磁波曝露装置を使用する。図５の電磁波曝露装置は、顕微鏡ステージ３１、アンテナステージ５１、耳受けステージ４１を貫通して同心の光軸孔３３が形成されている。図５は先の図３の電磁波曝露装置に相当するものである。６１は信号発生器、６２は電力増幅器、６３はカプラ、６４はパワーモニタである。３２は電磁波曝露対象２を照射する光源であり、ループアンテナ１４と同心の光軸孔３３を介して電磁波曝露対象２を照射する。ループアンテナ１４は、信号発生器６１の発生した信号を電力増幅し、カプラ６３および給電線１４１を介して給電励磁され、放射した電磁波を電磁波曝露対象２に曝露する。
【００２０】
信号発生器６１の発生した信号を電力増幅し、カプラ６３および給電線１４１を介してループアンテナ１４に給電曝露しながら、顕微鏡３および赤外線カメラ３０の如き複数種類の光学装置により観察する。電磁波曝露および観察の対象領域はループアンテナ１４の中央部近傍としている。
ここで、表１の実験緒元およびウサギの耳に対応する表２のファントム２１’を使用してシミュレーションによりループアンテナ１４を設計する。
【表１】
2004184854.tif 000003
【表２】
2004184854.tif 000004
【００２１】
図５を参照するに、耳受けステージ４１に載置されるファントム２１’とループアンテナ１４の間の距離は、結局、耳受けステージ４１の厚さｄということになる。この耳受けステージ４１の厚さｄをパラメータとし、１ワットの電磁波エネルギを照射した場合の電界分布（ｙ＝０ｍｍ、ファントム表面におけるｘ方向分布）は図６に示される如くになる。
図６（ａ）に示される如く、距離ｄ＝０、即ち、耳受けステージ４１がなくてファントム２１’がアンテナステージ５１の表面に接触している場合、ループアンテナ１４の中央部近傍と比較して給電点近傍の電界強度は極めて強くなる。
【００２２】
図６（ｂ）を参照するに、厚さｄ＝３ｍｍの耳受けステージ４１をアンテナステージ５１の表面に設置すると、給電点近傍の電界強度は大きく減少して中央部近傍の電界強度がより強くなる。図６（ｃ）および図６（ｄ）は耳受けステージ４１の厚さを、ｄ＝５ｍｍ、７ｍｍとした場合の電界強度を示すが、これらは図６（ｂ）の厚さｄ＝３ｍｍの耳受けステージ４１の場合と特性は類似しており、電界強度の極めて強い領域は消失し、電磁波曝露および観察の対象領域であるループアンテナ１４の中央部近傍に適正な電界強度の領域を形成することができることを示唆している。
【００２３】
【発明の効果】
上述した通りであって、この発明によれば、ループアンテナを誘電体材料板より成る顕微鏡ステージ或いはアンテナステージに埋設し、更に、耳受けステージを顕微鏡ステージ或いはアンテナステージに重ね合わせる構成を採用することにより、電磁波の生体曝露実験に際してループアンテナの給電点に発生する電磁界集中が緩和され、安定な電磁波曝露実験を実施することができる。
即ち、顕微鏡ステージの内部にループアンテナの面を顕微鏡ステージの表面に平行にした状態で埋設することにより、顕微鏡ステージの表面とループアンテナの面との間の距離は埋め込み深さに等しい一定値に設定される。従って、顕微鏡ステージの表面に電磁波曝露対象を固定した場合、曝露対象とループアンテナの面との間に必ずこの一定距離が確保されるので、これを適正に設定することによりループアンテナの給電点に発生する電磁界集中は緩和されると共に、曝露対象とループアンテナの面との間の距離が常に一定値に設定されることにより実験毎のこの距離の変動に起因して発生する曝露量の変動も解消されて安定して電磁波曝露実験を実施することができる。そして、顕微鏡ステージに対するループアンテナの埋設は高い機械的寸法精度で実施することができ、ループアンテナは顕微鏡ステージに埋設されたことによりその機械的強度は大なる状態で保持される。
【００２４】
そして、ループアンテナを誘電体材料板より成る顕微鏡ステージの表面にループアンテナの面を露出した状態で平行に埋設し、誘電体材料板より成る耳受けステージを顕微鏡ステージの表面に重ね合わせて設置する構成により、耳受けステージの表面とループアンテナの面との間の距離は、耳受けステージの厚さに等しい一定距離に設定される。従って、この場合は、曝露対象とループアンテナの面との間には耳受けステージの厚さに等しい一定距離が確保されるので、この厚さを適正に設定することによりループアンテナの給電点に発生する電磁界集中は緩和されると共に曝露対象とループアンテナの面との間の距離が常に一定値に設定されることにより実験毎のこの距離の変動に起因して発生する曝露量の変動も解消される。そして、顕微鏡ステージの表面に対するループアンテナの埋設は高い機械的寸法精度で実施することができ、ループアンテナは顕微鏡ステージに埋設されたことによりその機械的強度は大なる状態に保持される。また、耳受けステージを顕微鏡ステージの表面に沿って水平に移動させて、耳受けステージに固定される曝露対象の耳組織の内の観察しようとする領域を顕微鏡に対して正確に対応位置決めすることができる。更に、電磁波の曝露周波数を変更したい場合は、顕微鏡ステージを必要な曝露周波数の電磁波を発生するループアンテナを埋設した顕微鏡ステージに交換することにより容易にこれに対応することができる。
【００２５】
また、誘電体材料板より成るアンテナステージを更に具備して、ループアンテナを誘電体材料板より成るアンテナステージの表面にループアンテナの面を露出した状態で平行に埋設し、アンテナステージを誘電体材料板より成る顕微鏡ステージの表面に重ね合わせて設置し、誘電体材料板より成る耳受けステージをアンテナステージの表面に重ね合わせて設置する構成を採用することにより、耳受けステージの表面とループアンテナの面との間の距離は耳受けステージの厚さに等しい一定値に設定される。従って、耳受けステージ４１の表面に電磁波曝露対象を固定した場合、曝露対象とループアンテナ１４の面との間は耳受けステージの厚さに等しい一定距離が確保されるので、これを適正に設定することによりループアンテナの給電点に発生する電磁界集中は緩和されると共に曝露対象とループアンテナの面との間の距離が常に一定値に設定されることにより、実験毎のこの距離の変動に起因して発生する曝露量の変動も解消される。そして、アンテナステージに対するループアンテナの埋設は高い機械的寸法精度で実施することができ、ループアンテナはアンテナステージに埋設されたことによりその機械的強度は大なる状態で保持される。また、耳受けステージをアンテナステージの表面に沿って水平に移動させることにより曝露対象の耳組織の内の観察しようとする領域を顕微鏡に対して正確に対応位置決めすることができる。更に、電磁波の曝露周波数を変更したい場合、アンテナステージを必要な曝露周波数の電磁波を発生するループアンテナを埋設したアンテナステージに交換することにより容易にこれに対応することができる。
【図面の簡単な説明】
【図１】実施例１を説明する図。
【図２】実施例２を説明する図。
【図３】実施例３を説明する図。
【図４】実験装置全体を示す図。
【図５】実験に使用する電磁波曝露装置を示す図。
【図６】ファントム表面におけるｘ方向電界分布を示す図。
【図７】モノポールアンテナを使用した従来例を説明する図。
【図８】ダイポールアンテナを使用した従来例を説明する図。
【図９】微小ループアンテナを使用した従来例を説明する図。
【図１０】ループアンテナを使用した従来例を説明する図。
【図１１】ウサギの耳用電磁波曝露装置の従来例を説明する図。
【図１２】ウサギの耳用電磁波曝露装置の他の従来例を説明する図。
【符号の説明】
１０  給電点                １１  モノポールアンテナ
１１１  地板                  １２  ダイポールアンテナ
１２１  給電線                １３  微小ループアンテナ
１３１  給電線                １４  ループアンテナ
１４１  給電線                  ２  生体
２１  ウサギの耳              ３  顕微鏡
３１  顕微鏡ステージ        ４１  耳受けステージ
５１  アンテナステージ
【図１】
2004184854.tif 000005
【図２】
2004184854.tif 000006
【図３】
2004184854.tif 000007
【図４】
2004184854.tif 000008
【図５】
2004184854.tif 000009
【図６】
2004184854.tif 000010
【図７】
2004184854.tif 000011
【図８】
2004184854.tif 000012
【図９】
2004184854.tif 000013
【図１０】
2004184854.tif 000014
【図１１】
2004184854.tif 000015
【図１２】
2004184854.tif 000016